(57)【特許請求の範囲】
【請求項１】
筐体と、
前記筐体内に収納され、入力電源を接続して第１負荷に電力を供給する第１電源モジュールと、
前記筐体内に収納され、前記入力電源を接続して第２負荷に電力を供給する第２電源モジュールと、
前記筐体内に収納され、前記入力電源と電気的に接続する入力端子を含む入力端子台と、前記第１電源モジュールの入力および前記第２電源モジュールの入力に電気的にそれぞれ接続する出力端子を含む出力端子台と、前記入力端子と前記出力端子との間を電気的に接続する配線と、を含む基板と、
を備え、
前記筐体は、天板および底部を有し、
前記第１電源モジュールは、前記天板側に設けられ、
前記第２電源モジュールは、前記底部側に設けられた電源装置。
【請求項２】
前記基板に設けられ、前記入力電源に接続されたサージ保護素子をさらに備えた請求項１記載の電源装置。
【請求項３】
前記基板に設けられ、前記入力電源と前記第１電源モジュールの入力との間に直列に接続されたヒューズをさらに備えた請求項１または２に記載の電源装置。
【請求項４】
前記出力端子台では、前記出力端子と、前記第１電源モジュールの入力および前記第２電源モジュールの入力とを、単線によってそれぞれ電気的に接続する請求項１〜３のいずれか１つに記載の電源装置。
【請求項５】
請求項１〜４のいずれか１つの電源装置と、
照明光源である前記第１負荷および前記第２負荷を含む光源ユニットと、
を備えた照明装置。
【発明の詳細な説明】
【技術分野】
【０００１】
本発明の実施形態は、電源装置および照明装置に関する。
【背景技術】
【０００２】
電源装置の応用分野では、それぞれの負荷に電力を供給する電源モジュールを複数台用いることによって、出力の大容量化をはかる場合がある。たとえば、照明点灯用の電源装置では、光源モジュールを駆動する電源モジュールを、光源モジュールとともに複数台用意して動作させることによって、大きな光出力を得ることができる。このような複数の電源モジュールを１つの電源ユニットにまとめることによって、電源装置の小型化をはかることができる。
【０００３】
複数の電源モジュールを１つの筐体に組み込んで電源ユニットとしてまとめる場合には、各電源モジュールの入力側には、サージ保護素子やヒューズ等の保護部品が組み込まれる場合も多く、配線の引き回しや接続等に困難が伴う場合がある。１つの電源ユニットに組み込む電源モジュールの台数が多くなるほど、電源モジュールの組み込み作業が煩雑になる。
【先行技術文献】
【特許文献】
【０００４】
【特許文献１】特開２０１２−０２２８８１号公報
【特許文献２】特開２０１３−２３５６９２号公報
【発明の概要】
【発明が解決しようとする課題】
【０００５】
実施形態の目的は、複数の電源モジュールの配線の接続を容易にした電源装置および照明装置を提供することである。
【課題を解決するための手段】
【０００６】
実施形態に係る電源装置は、筐体と、前記筐体に収納され、入力電源を接続して第１負荷に電力を供給する第１電源モジュールと、前記筐体に収納され、前記入力電源を接続して第２負荷に電力を供給する第２電源モジュールと、前記筐体に収納され、前記入力電源と電気的に接続する入力端子を含む入力端子台と、前記第１電源モジュールの入力および前記第２電源モジュールの入力を電気的にそれぞれ接続する出力端子を含む出力端子台と、前記入力端子と前記出力端子との間を電気的に接続する配線と、を含む基板と、を備える。前記筐体は、天板および底部を有する。前記第１電源モジュールは、前記天板側に設けられる。前記第２電源モジュールは、前記底部側に設けられる。
【発明の効果】
【０００７】
本実施形態の電源装置では、入力電源と、第１電源回路の入力とを電気的に接続し、入力電源と第２電源回路の入力とを電気的に接続する基板を備えているので、入力電源と各電源回路との接続が容易になる。第１電源回路の入力および第２電源回路の入力の配線は、単線なので、これらを接続する出力端子台の端子に容易に接続することができる。
【図面の簡単な説明】
【０００８】
【図１】第１の実施形態に係る電源装置を例示するブロック図である。
【図２】図２（ａ）は、入力端子台を例示する斜視図である。図２（ｂ）は、出力端子台を例示する斜視図である。
【図３】電源装置の内部の配置を例示する透過斜視図である。
【図４】第１の実施形態の電源装置の電源モジュールを例示するブロック図である。
【図５】比較例の電源装置を例示するブロック図である。
【図６】図６（ａ）は、第２の実施形態に係る照明装置を例示する斜視図である。図６（ｂ）は、第２の実施形態の照明装置の電源ユニットを例示する透過斜視図である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
（第１の実施形態）
図１は、本実施形態に係る電源装置を例示するブロック図である。
図２（ａ）は、入力端子台を例示する斜視図である。図２（ｂ）は、出力端子台を例示する斜視図である。
図３は、本実施形態の電源装置の端子台と配線との接続の一例を示す斜視図である。
図１に示すように、本実施形態の電源装置１０は、基板２０と、複数の電源モジュール６０ａ，６０ｂ，６０ｃと、を備える。電源装置１０は、電源コネクタ１６を介して、入力電源１に接続されている。この例では、入力電源１は、単相交流電力を出力する商用電源である。交流電圧は、１００Ｖ、２００Ｖ系いずれであってもよい。電源装置１０は、給電コネクタ１８を介して、複数の負荷１２ａ，１２ｂ，１２ｃに接続されている。つまり、電源装置１０は、多出力のＡＣ−ＤＣコンバータである。それぞれの負荷１２ａ，１２ｂ，１２ｃは、電源装置１０のそれぞれの電源モジュール６０ａ，６０ｂ，６０ｃから電力の供給を受けて動作する。負荷１２ａ，１２ｂ，１２ｃは、たとえば複数のＬＥＤ（Light Emitting Diode）素子が直列、並列またはこれらを混在させて接続された光源モジュールである。この例では、負荷１２ａ，１２ｂ，１２ｃは、光源モジュールであり、光源ユニット１１は、３つの光源モジュールを含んでいる。図１では、電源装置１０と光源ユニット１１とを備えた照明装置１００が合わせて示されている。なお、この例では、入力電源１は、商用電源であるが、商用電源に限らず、たとえば小型風力発電装置等他の交流電源であってもよい。さらに、入力電源１は、交流電源に限らず、太陽光発電モジュールや燃料電池等の直流電源であってもよく、この場合には、電源モジュールは、非安定の直流電力を安定化された直流電力に変換するＤＣ−ＤＣコンバータである。この例では、それぞれの負荷を接続する電源モジュールは、３台であるが、２台でもよく、４台以上であってもかまわない。すなわち、電源装置１０は、電源モジュールを複数有している。
【００１１】
基板２０は、入力端子台２２と、出力端子台２４と、を含む。入力端子台２２および出力端子台２４は、基板２０上の適切な位置に配置されている。入力端子台２２は、３つの端子２３ａ，２３ｂ，２３ｃを有する。図２（ａ）に示すように、これら３つの端子２３ａ，２３ｂ，２３ｃは、ねじ止めによって配線材料を固定するスクリュ式端子構造の端子を有する。入力端子台２２の端子の構造は、スクリュ式に限らず、端子台の内部に設置されたバネの付勢によって配線を固定する速結端子等任意の構造の端子であってもよい。入力端子台２２は、基板２０の配線４０と電気的に接続するために、各端子２３ａ，２３ｂ，２３ｃにそれぞれ対応するリード線２３ａ１，２３ｂ１，２３ｃ１を有する。３つの端子のうち端子２３ａは、入力電源１の一方の側に、配線５１ａによって電気的に接続される。他の１つの端子２３ｂは、入力電源１の他方の側に、配線５１ｂによって電気的に接続される。残りの端子２３ｃは、アース端子であり、入力電源のアースに、配線５１ｃによって電気的に接続されるとともに、電源装置１０の金属製の筐体（図示せず）に電気的に接続される。それぞれの配線５１ａ，５１ｂ，５１ｃは、電源装置１０の筐体に配置された電源コネクタ１６を介して、入力電源の配線１ａ，１ｂ，１ｃにそれぞれ接続される。入力端子台２２は、基板２０の適切な位置に設けられて、端子２３ａ，２３ｂ，２３ｃによって、入力電源１側の配線５１ａ、５１ｂ、５１ｃと電気的に接続され、リード線２３ａ１，２３ｂ１，２３ｃ１によって、基板２０上の配線４０と接続される。つまり、入力電源１の配線５１ａ，５１ｂ，５１ｃは、入力端子台２２の各端子２３ａ，２３ｂ，２３ｃおよびリード線２３ａ１，２３ｂ１，２３ｃ１を介して配線４０に電気的に接続されている。
【００１２】
出力端子台２４は、少なくとも、電源モジュールの台数に応じた個数の端子を有する。この例では、電源モジュールが３台であり、各電源モジュール６０ａ，６０ｂ，６０ｃは、入力電源１の一方の側および他方の側に接続されるための入力端子の組を有している。したがって、出力端子台２４の端子は、少なくとも３組の端子の組を有する。すなわち、出力端子台２４は、電源モジュール６０ａのための端子２５ａ，２５ｂと、電源モジュール６０ｂのための端子２６ａ，２６ｂと、電源モジュール６０ｃのための端子２７ａ，２７ｂとを含む。なお、電源モジュールがそれぞれアース端子を有しているときには、端子の組として、アース用の端子を含めて３つの端子を含むようにしてもよい。出力端子台２４は、各端子に対応するリード線を有する。端子２５ａ，２５ｂに対しては、それぞれリード線２５ａ１，２５ｂ１を有する。端子２６ａ，２６ｂに対して、それぞれリード線２６ａ１，２６ｂ１を有する。端子２７ａ，２７ｂに対して、それぞれリード線２７ａ１，２７ｂ１を有する。各リード線は、対応する各端子と電気的に接続されている。そして、それぞれのリード線２５ａ１，２５ｂ１，２６ａ１，２６ｂ１，２７ａ１，２７ｂ１は、配線４０に接続されている。図２（ｂ）に示すように、出力端子台２４の端子の構造は、内部に設置されたバネの付勢によって配線を固定する速結端子である。後述するように、出力端子台２４の各端子と、電源モジュールとの電気的接続は、心線が１本の導体で形成された単線で行われるので、配線との接続が容易に行える端子構造である。出力端子台２４は、基板２０の適切な位置に設けられて、端子２５ａ，２５ｂ，２６ａ，２６ｂ，２７ａ，２７ｂによって、配線５２ａ，５２ｂ，５３ａ，５３ｂ，５４ａ，５４ｂと電気的に接続され、リード線２５ａ１，２５ｂ１，２６ａ１，２６ｂ１，２７ａ１，２７ｂ１によって、基板２０上の配線４０と接続される。つまり、電源モジュール６０ａ，６０ｂ，６０ｃの配線５２ａ，５２ｂ，５３ａ，５３ｂ，５４ａ，５４ｂは、出力端子台２４の各端子２５ａ，２５ｂ，２６ａ，２６ｂ，２７ａ，２７ｂおよびリード線２５ａ１，２５ｂ１，２６ａ１，２６ｂ１，２７ａ１，２７ｂ１を介して配線４０に電気的に接続される。
【００１３】
基板２０は、入力端子台２２および出力端子台２４のそれぞれの端子を対応するリード線を介して電気的に接続する配線４０を有する。配線４０は、基板２０上に描かれた導体による配線パターンである。基板２０は、いわゆるプリント配線基板である。基板２０の基材は、絶縁性の材料であり、たとえば紙あるいはガラス繊維にエポキシ樹脂を含浸させた基材（紙エポキシ基板あるいはガラスエポキシ基板）や、紙にフェノール樹脂を含浸させた基材（紙フェノール基板）等である。あるいは、基板の基材は、セラミック等であってもよい。配線４０は、基材上に形成された銅または銅を含む合金を選択的にエッチング等を行うことによって、所望の配線パターンを有するように形成される。配線４０は、基板２０の一方の面または両方の面に設けられる。この例では、配線４０は、基板２０の一方の面に設けられている。基板２０には、端子台等の部品が搭載される適切な位置に部品のリード線のための貫通孔が設けられる。貫通孔の周囲には配線４０との電気的接続をとるために配線と同じ材料でランドが形成されている。端子台等の各部品のリード線は、貫通孔に挿入されて、ランドを介して配線４０に電気的に接続される。なお、基板２０上に実装される部品が表面実装型の場合には、貫通孔を有さず、実装される部品に対応する適切な位置にランドが形成される。
【００１４】
配線４０は、入力電源１の一方の側および他方の側をそれぞれ電源モジュール６０ａ，６０ｂ，６０ｃの入力に接続するために分岐された配線４１ａ〜４５ａ，４１ｂ〜４５ｂを含んでいる。入力電源１の一方の側と電源モジュール６０ａの一方の側の入力とは、配線４１ａ，４２ａ，４３ａによって接続される。入力電源１の一方の側と電源モジュール６０ａの一方の側の入力とは、配線４１ｂ，４２ｂ，４３ｂによって接続される。同様にして、入力電源１と電源モジュール６０ｂの入力とは、配線４１ａ，４２ａ，４４ａおよび配線４１ｂ，４２ｂ，４４ｂによって接続される。入力電源１と電源モジュール６０ｃの入力とは、配線４１ａ，４２ａ，４５ａおよび配線４１ｂ，４２ｂ，４４ｂによって接続される。
【００１５】
基板２０には、いくつかの保護用の部品が搭載される。ヒューズ３１ａ，３１ｂが基板２０上に設けられる。ヒューズ３１ａは、入力電源１の一方の側の配線に直列に接続される。つまり、ヒューズ３１ａは、配線４１ａと配線４２ａとの間に直列に接続される。ヒューズ３１ｂは、入力電源１の他方の側の配線に直列に接続される。つまり、ヒューズ３１ｂは、配線４１ｂと配線４２ｂとの間に直列に接続される。ヒューズ３１ａ，３１ｂは、電流ヒューズであり、規定の電流値が規定時間以上流れたときに内部のエレメントが溶断して、ヒューズ３１ａ，３１ｂに流れていた電流を遮断する。ヒューズ３１ａ，３１ｂは、入力電源１の一方の側あるいは他方の側に過大な電流が流れたときに電流を遮断して、電源装置１０の発火や発煙等を防止するために用いられる。ヒューズ３１ａ，３１ｂは、管形、リード挿入形等の形状は問わない。管形の場合には、ヒューズホルダが基板２０上に接続され、ヒューズ３１ａ，３１ｂは、ヒューズホルダに装着される。
【００１６】
基板２０上には、サージ保護素子３２ａ，３２ｂ，３２ｃが設けられる。サージ保護素子３２ａ，３２ｂは、直列に接続されて入力電源１の一方の側と他方の形、すなわち入力電源１の線間に接続される。つまり、サージ保護素子３２ａ，３２ｂの直列接続体は、配線４２ａ，４２ｂ間に接続される。サージ保護素子３２ｃは、入力電源１のサージ保護素子３２ａ，３２ｂの接続ノードと、入力電源１のアースに接続される配線５１ｃとの間に接続される。サージ保護素子３２ａ，３２ｂ，３２ｃは、雷等によるサージが入力電源１に関連する配線に生じた場合に、そのサージエネルギを吸収して、電源装置１０に過大な電圧が印加され、損傷することを防止する。サージ保護素子３２ａ，３２ｂ，３２ｃは、たとえば金属酸化物バリスタや、アレスタ等の雷サージ防護用の素子である。
【００１７】
電源モジュール６０ａ，６０ｂ，６０ｃの入力は、出力端子台２４上の対応する各端子と配線によって、それぞれ電気的に接続される。すなわち、電源モジュール６０ａの一方の側の入力は、配線５２ａによって端子２５ａに接続され、他方の側の入力は、配線５２ｂによって端子２５ｂに接続される。端子２５ａ，２５ｂは、配線４０を介して入力端子台２２の端子２３ａ，２３ｂにそれぞれ電気的に接続されている。同様に、電源モジュール６０ｂの入力は、配線５３ａ，５３ｂによって端子２６ａ，２６ｂにそれぞれ接続される。端子２６ａ，２６ｂは、配線４０を介して入力端子台２２の端子２３ａ，２３ｂにそれぞれ電気的に接続されている。電源モジュール６０ｃの入力は、配線５４ａ，５４ｂによって端子２７ａ，２７ｂにそれぞれ接続される。端子２７ａ，２７ｂは、配線４０によって入力端子台２２の端子２３ａ，２３ｂにそれぞれ電気的に接続されている。したがって、電源モジュール６０ａ，６０ｂ，６０ｃの入力は、出力端子台２４の対応する各端子を介して、基板２０上の配線４０に接続される。つまり、入力電源１の各配線は、入力端子台２２の各端子、配線４０（４１ａ〜４５ａ、４１ｂ〜４５ｂ）、出力端子台２４の各端子、および各配線５２ａ〜５４ｂを介して、電源モジュール６０ａ，６０ｂ，６０ｃの各入力に電気的に接続される。
【００１８】
配線５２ａ，５２ｂ，５３ａ，５３ｂ，５４ａ，５４ｂは、単一の導体の心線から形成された単線である。配線５２ａ，５２ｂ，５３ａ，５３ｂ，５４ａ，５４ｂの材質は、銅または銅を主に含む合金であり、外周をビニル被覆されて他の配線等から絶縁される。配線５２ａ，５２ｂ，５３ａ，５３ｂ，５４ａ，５４ｂの太さは、電源モジュール６０ａ，６０ｂ，６０ｃの入力電流容量に応じて適切に定められる。
【００１９】
図３に示すように、本実施形態の電源装置１０は、筐体１４を有しており、基板２０と、電源モジュール６０ａ，６０ｂ，６０ｃとは、筐体１４内に収納されている。この例では、電源モジュール６０ａ，６０ｂ，６０ｃは、同一の電源回路および形状を有しており、それぞれ入力の配線が引き出されている側の面をそろえて、互いにほぼ等間隔に並んで配置されている。基板２０は、電源モジュール６０ｃに隣接して配置されている。基板２０および電源モジュール６０ａ，６０ｂ，６０ｃは、筐体１４の底部にたとえばねじ止めや接着剤等により固定される。
【００２０】
配線５２ａ，５２ｂ，５３ａ，５３ｂ，５４ａ，５４ｂは、電源モジュール６０ａ，６０ｂ，６０ｃの入力側の配線であるため、電源モジュール６０ａ，６０ｂ，６０ｃから発生するコモンモードノイズ等を入力電源１側に出さないように、電源装置１０の筐体１４の内周壁に沿って敷設される。配線５２ａ，５２ｂ，５３ａ，５３ｂ，５４ａ，５４ｂは、単線であるため、ある程度の剛性を有しており、屈曲させた場合に屈曲させた状態を保持できる。そのため、配線５２ａ，５２ｂ，５３ａ，５３ｂ，５４ａ，５４ｂは、固定具や、接着剤等を用いずに筐体１４内の適切な位置に敷設されることができる。また、図２（ｂ）に示すように、配線５２ａ，５２ｂ，５３ａ，５３ｂ，５４ａ，５４ｂは、単線であるため、先端のビニル被覆をはがした状態でそのまま対応する端子に挿入して固定することができる。
【００２１】
図４に示すように、電源モジュール６０ａは、整流回路６２と、昇圧回路６４と、電力変換回路６６と、を含む。整流回路６２は、入力電源１に配線５２ａ，５２ｂを介して接続されている。整流回路６２は、入力電源１から出力される交流電力を入力して整流して出力する。昇圧回路６４は、整流回路６２の出力に接続されている。昇圧回路６４は、整流回路６２によって整流された電圧を入力し、昇圧された直流電圧を出力する。昇圧回路６４は、アクティブ平滑フィルタであり、整流回路６２に入力される高調波電流を抑制する。電力変換回路６６は、昇圧回路６４と負荷１２ａとの間に接続されている。負荷１２ａがＬＥＤ素子による発光モジュールの場合には、発光モジュールに流れる電流を制御する電流制御回路である。つまり、電力変換回路６６は、昇圧回路６４から供給される直流電圧を定電流制御する定電流電源回路である。電力変換回路６６は、降圧型のチョッパ回路であってもよく、トランスを用いたフライバック回路等であってもよく、任意の適切な回路方式が用いられる。電力変換回路６６は、負荷に応じて異なる回路構成を有する。電源モジュールは、入力電源１に応じて他の回路構成をとることができる。入力電源１が直流電源の場合には、平滑回路や昇圧回路が省略される。この例では、他の電源モジュール６０ｂ，６０ｃは、電源モジュール６０ａと同じ構成であり、同じ入出力の定格を有する電源回路であるが、他の実施形態においては、電源モジュールは、必ずしも同一の電源回路でなくてもよい。
【００２２】
本実施形態の電源装置１０の作用および効果について、比較例の電源装置２００と対比しつつ説明する。
図５は、比較例の電源装置２００を例示するブロック図である。
図５に示すように、比較例の電源装置２００は、電源モジュール１６０ａ，１６０ｂ，１６０ｃを有しており、照明光源である負荷１２ａ，１２ｂ，１２ｃを含む光源ユニット１１を駆動する。図５では、電源装置２００と光源ユニット１１とを含む照明装置２０１も合わせて示されている。比較例の電源装置２００は、基板を備えておらず、入力電源１と、各電源モジュール１６０ａ，１６０ｂ，１６０ｃとの電気的接続を、閉端接続子１２３ａ，１２３ｂおよび端子台１２４ａ，１２４ｂを用いて行っている。閉端接続子１２３ａ，１２３ｂは、入力電源１の配線５１ａ，５１ｂ，５１ｃそれぞれを分岐させるために用いられている。入力電源１の配線５１ａは、閉端接続子１２３ａによって、電源モジュール１６０ａ，１６０ｂ，１６０ｃに向かう配線１５２ａ，１５３ａ，１５４ａおよびサージ保護素子３２ａに向かう配線に分岐される。入力電源１の側の配線５１ｂは、閉端接続子１２３ｂによって、電源モジュール１６０ａ，１６０ｂ，１６０ｃに向かう配線１５２ｂ，１５３ｂ，１５４ｂおよびサージ保護素子３２ｂに向かう配線に分岐される。入力電源１のアースは、閉端接続子１２３ｃによって、筐体およびサージ保護素子３２ｃに分岐される。端子台１２４ａ，１２４ｂは、閉端接続子１２３ａ，１２３ｂのそれぞれ１つの分岐出力を、さらに電源モジュールの台数だけ分岐するのに用いられている。閉端接続子１２３ａ，１２３ｂは、どこにも固定されていない。また、端子台１２４ａ，１２４ｂもどこにも固定されていない。配線１５２ａ，１５２ｂ，１５３ａ，１５３ｂ，１５４ａ，１５４ｂは、電源モジュールの入力の配線であるため、筐体の内壁に沿って配置する必要がある。そのため、たとえば撚り線を用いて、配線を接続しながら結束バンド等によって配線をまとめて、筐体内の適切な位置に、抑え金具をねじ等によって固定する必要がある。単線を用いる場合には、配線を接続しながら配線を筐体の内壁に沿うように屈曲させて配置する必要がある。入力電源１側の配線５１ａ，５１ｂ，５１ｃについても、閉端接続子に接続しつつ、結束バンドでまとめて筐体内の適切な位置に配置する必要がある。
【００２３】
このように、比較例の電源装置２００では、固定されていない接続子や端子台を用いて入力電源１と電源モジュール１６０ａ，１６０ｂ，１６０ｃとを電気的に接続するため、電源装置２００内で接続をとり、筐体に組み込む場合の作業性が悪い。この例では、電源モジュールが３台であるが、電源モジュールの台数が増えた場合には電気的に接続すべき配線の数が増大するため、さらに作業性が低下する。端子台１２４ａ，１２４ｂの端子数に制限がある場合には、電源モジュールの台数に応じて、端子台１２４ａ，１２４ｂからさらに分岐するように追加の端子台を設ける必要が生じる場合もがあり、さらなる作業性の低下をまねくおそれがある。
【００２４】
比較例の電源装置２００では、入力電源１側にヒューズを設ける場合には、配線５１ａ，５１ｂの途中を切断してヒューズを挿入しなければならず、接続すべき配線の数が増えて作業性がさらに低下する。
【００２５】
比較例の電源装置２００では、作業性の低下を避けるため、それぞれの電源モジュール１６０ａ，１６０ｂ，１６０ｃの入力に直列にヒューズが挿入されている必要がある。そのため、ヒューズの数が電源モジュールの数だけ必要になり、部品数が増加する。
【００２６】
ヒューズは、一次側に用いられるので、ヒューズの入力電源１側では、一方の側と他方の側との沿面距離を安全規格等で定められた距離だけとる必要がある。比較例の電源装置２００では、各電源モジュール１６０ａ，１６０ｂ，１６０ｃの入力の沿面距離Ｌを十分とる必要があり、小型化等の制約となり得、また、筐体中における電源モジュール１６０ａ，１６０ｂ，１６０ｃの配置等にも制約が生じるおそれがある。
【００２７】
閉端接続子１２３ａ，１２３ｂを用いて分岐用の配線の接続を行うには、専用の工具が必要であり、作業性が低下する。また、専用の工具を用いて閉端接続子をかしめるときに、作業者や作業自体のばらつきにより、接続部分の絶縁が不十分となることがあるので、製品の品質を高く維持することが困難である。
【００２８】
本実施形態の電源装置１０では、基板２０を備えている。そのため、基板２０上の入力端子台２２および出力端子台２４によって入力電源１および各電源モジュール６０ａ，６０ｂ，６０ｃをあらかじめ基板２０上に描かれている配線４０を介して電気的に接続することができる。基板２０は、筐体１４内に固定されることができるので、電源装置１０の組立時の作業性を向上させることができる。
【００２９】
本実施形態の電源装置１０では、基板２０にあらかじめ配線パターンを形成することによって、サージ保護素子３２ａ，３２ｂ，３２ｃを配置することができる。そのため、サージ保護素子３２ａ，３２ｂ，３２ｃのために分岐用の接続子等を用いる必要がなく、電源装置１０の組立時の煩雑さをまねくことなく、サージ保護素子３２ａ，３２ｂ，３２ｃを搭載することができる。
【００３０】
本実施形態の電源装置１０では、基板２０にあらかじめ配線パターンを形成することによって、ヒューズ３１ａ，３１ｂを配置することができる。そのため、ヒューズ３１ａ，３１ｂのために配線を分断して、接続子を設ける必要がない。基板２０上にヒューズ３１ａ，３１ｂを設けて、各電源モジュールのヒューズを削減することができるので、部品点数の削減が可能となり、部品点数の削減により小型化が可能となる。ヒューズ３１ａ，３１ｂをより入力電源１側に設けることができるので、ヒューズ３１ａ，３１ｂよりも電源モジュール側の配線間の沿面距離を広くとる必要がないので、狭ピッチ化による小型化が可能になる。
【００３１】
（第２の実施形態）
図６（ａ）は、本実施形態の照明装置を例示する斜視図である。図６（ｂ）は、本実施形態の照明装置の電源ユニットを例示する透視斜視図である。
図６（ａ）に示すように、照明装置１００ａは、光源ユニット１１２と、電源ユニット１０ａと、を備える。照明装置１００ａは、光制御ユニット１１６と、支持体１１８と、台座１２０と、をさらに有している。照明装置１００ａは、看板や建造物の演出照明などに用いられる、いわゆる投光器である。
【００３２】
光源ユニット１１２は、図示しない複数の光源モジュールを含む。この例では、７つの光源モジュールを含んでいる。各光源モジュールは、直列、並列またはこれらを混在させて接続された複数のＬＥＤ素子を含んでいる。
【００３３】
電源ユニット１０ａは、金属製の筐体１４ａを有している。電源ユニット１０ａは、電源コネクタ１６および電源ケーブル１３０を介して入力電源に接続される。電源ユニット１０ａは、給電ケーブル１３２を介して光源ユニット１１２に接続される。
【００３４】
電源ユニット１０ａは、第１の実施形態において説明した複数の電源モジュール６０ａ〜６０ｇを含む。図６（ｂ）に示すように、複数の電源モジュールのうち３つは、筐体１４ａの底部に配置されている。複数の電源モジュールのうち４つは、筐体の天板に配置されている。各電源モジュールは、適切な位置にたとえばねじ止めにより固定されている。電源ユニット１０ａは、第１の実施形態において説明した基板２０ａを有している。基板２０ａは、入力端子台２２と出力端子台２４ａとを有する。電源モジュール６０ａ〜６０ｇの入力は、基板２０ａを介して電源モジュール６０ａ〜６０ｇのそれぞれは、７つの光源モジュールのそれぞれに接続されており、それぞれの光源モジュールを駆動する。
【００３５】
基板２０ａは、入力端子台２２と出力端子台２４ａとを含む。入力端子台２２の各端子２３ａ，２３ｂ，２３ｃは、入力電源のそれぞれの配線５１ａ，５１ｂ，５１ｃに接続されている。出力端子台２４ａの各端子は、電源モジュール６０ａ〜６０ｇの各入力に接続されている。出力端子台２４ａの各端子と電源モジュール６０ａ〜６０ｇの各入力との接続には、配線５２ａ〜５８ｂを用いて行われる。配線５２は、単一の心線の導体からなるたとえばビニル被覆線である。出力端子台２４ａの各端子は、内部のバネによる付勢によって配線を固定することができる速結端子である。そのため、配線５２と出力端子台２４ａの端子との接続を容易に行うことができる。基板２０ａは、入力端子台２２の各端子と、出力端子台２４ａの各端子とを電気的に接続するプリント配線（図示せず）を含んでいる。したがって、入力電源の各配線は、基板２０ａ上の、入力端子台２２の各端子、配線、出力端子台２４ａの各端子、および配線５２ａ〜５８ｂを介して、各電源モジュール６０ａ〜６０ｇの入力に電気的に接続される。
【００３６】
光源ユニット１１２は光制御ユニット１１６と支持体１１８とを含んでいる。光制御ユニット１１６は、レンズや反射体等を含む光学回路によって、光源ユニット１１２の各光源から所望の光束を得るように構成されている。
【００３７】
支持体１１８は、光制御ユニット１１６と電源ユニット１０ａとを接続し、これらを台座１２０に固定する。
【００３８】
本実施形態の照明装置１００ａの作用および効果について説明する。
本実施形態の照明装置１００ａは、電源ユニット１０ａ内に基板２０ａを有している。基板２０ａは、入力電源に接続される端子を有する入力端子台２２と、各電源モジュール６０ａ〜６０ｇの入力に配線５２ａ〜５８ｂを介して接続される端子を有する出力端子台２４ａとを含んでいる。そのため、本実施形態の照明装置１００ａでは、基板２０ａを電源ユニット１０ａ内に設けることによって、複数の電源モジュール６０ａ〜６０ｇのそれぞれの入力を基板２０ａを介して配線５１ａ，５１ｂ，５１ｃに容易に電気的に接続することができる。また、本実施形態の照明装置１００ａでは、複数の電源モジュール６０ａ〜６０を１つの電源ユニット１０ａの筐体１４ａ内に容易に収納することができる。したがって、電源モジュール部分の小型化をはかることができる。このように複数の電源モジュール６０ａ〜６０ｇを１つの電源ユニット１０ａにまとめることができるので、光源ユニット１１２とともに一体化した照明装置１００ａを実現することができ、装置全体の小型化をはかることができる。
【００３９】
以上説明した実施形態によれば、複数の電源モジュールを組み込んで小型化された電源装置および照明装置を実現することができる。
【００４０】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００４１】
１０  電源装置、１０ａ  電源ユニット、１１  負荷ユニット、１２ａ，１２ｂ，１２ｃ  負荷、１４，１４ａ  筐体、１６  電源コネクタ、１８  給電コネクタ、２０，２０ａ  基板、２２  入力端子台、２３ａ，２３ｂ，２３ｃ  端子、２４  出力端子台、  ２５ａ，２５ｂ，２６ａ，２６ｂ，２７ａ，２７ｂ  端子、３１ａ，３１ｂ  ヒューズ、３２ａ，３２ｂ，３２ｃ  サージ保護素子、４０  プリント配線、５１ａ，５１ｂ，５１ｃ  配線、６０ａ〜６０ｇ  電源モジュール、１００，１００ａ  照明装置、１１２  光源ユニット、１１６  光制御ユニット、１１８  支持体、１２０  台座、１２３ａ，１２３ｂ  閉端接続子、１２４ａ，１２４ｂ  端子台、１３０  電源ケーブル、１３２  給電ケーブル、１６０ａ，１６０ｂ，１６０ｃ  電源モジュール、２００  電源装置
【図１】
0006566379.tif 000002
【図２】
0006566379.tif 000003
【図３】
0006566379.tif 000004
【図４】
0006566379.tif 000005
【図５】
0006566379.tif 000006
【図６】
0006566379.tif 000007